【手続補正書】
【提出日】令和3年3月17日(2021.3.17)
【手続補正１】
【補正対象書類名】明細書
【補正対象項目名】全文
【補正方法】変更
【補正の内容】
【発明の詳細な説明】
【発明の名称】ＡＮＲの構成方法、端末デバイス、基地局及びコアネットワークデバイス
【関連出願の参照】
【０００１】
本願は、２０１７年９月１３日出願中国特許庁、出願番号ＰＣＴ / ＣＮ２０１７/１０１５８５、出願名「ＡＮＲの構成方法、端末デバイス、基地局及びコアネットワークデバイス」におけるＰＣＴ特許出願の優先権を主張し、その全体は、参照により本出願に組み込まれる。
【技術分野】
【０００２】
本願は、通信分野に関し、具体的に、ＡＮＲの構成方法、端末デバイス、基地局及びコアネットワークデバイスに関する。
【背景技術】
【０００３】
ロングタームエボリューション( Ｌｏｎｇ Ｔｅｒｍ Ｅｖｏｌｕｔｉｏｎ、ＬＴＥ )通信システムにおいて、隣接セル最適化のために、自動隣接セル関係( Ａｕｔｏ Ｎｅｉｇｈｂｏｒ Ｒｅｌａｔｉｏｎｓｈｉｐ、ＡＮＲ )が提案され、ＡＮＲ機能は、ネットワーク側のゲートウェイ( Ｏｐｅｒａｔｉｏｎ Ａｎｄ Ｍａｎａｇｅｍｅｎｔ、Ｏ＆Ｍ )と端末デバイスとの関与を必要とし、端末デバイスは、測定によって隣接セル情報を取得し、Ｏ＆Ｍは、隣接セル関係テーブル( Ｎｅｉｇｈｂｏｒ Ｒｅｌａｔｉｏｎ Ｔａｂｌｅ、ＮＲＴ )の追加又は更新を行う。
【０００４】
ＬＴＥでは、端末デバイスは、主に隣接セル識別情報(Ｃｅｌｌ Ｇｌｏｂａｌ Ｉｄｅｎｔｉｆｉｅｒ、ＣＧＩ )を取得し、現段階の端末デバイスの存在するセルの隣接セルは、ＬＴＥセル、Ｅｖｏｌｖｅｄ ＬＴＥセル、およびＮｅｗ Ｒａｄｉｏセルであり、ＣＧＩだけでは現段階のＡＮＲ機能の要求を満たすことができない。
【発明の概要】
【０００５】
本願の実施例は、ＡＮＲの構成方法、端末デバイス、基地局、およびコアネットワークデバイスを提供し、５Ｇ通信におけるＡＮＲ機能の要求に適合するように、ＬＴＥ通信をサポートするセル、ｅＬＴＥ通信をサポートするセル、およびＮＲ通信をサポートするセルなどの隣接セルにおいて、隣接セルのコアネットワークタイプ、隣接セルのセルタイプ、隣接セルが特定サービスをサポートするかどうか、隣接セルに利用可能なネットワークスライスが存在するかどうか、隣接セルの特定のシステム情報ブロック、隣接セルがＸｎインターフェースをサポートするかどうか、などのパラメータを測定することができる。
【０００６】
第１の態様として、本願の実施例は、自動隣接関係ＡＮＲの構成方法を提供し、
基地局により送信された測定構成情報を受信することと、
当該測定構成情報に基づいて、隣接セルの属性と隣接セル識別子ＣＧＩを測定することと、
当該基地局に測定レポートを送信することとを含み、当該測定レポートは、当該隣接セルの属性及び当該ＣＧＩを示す。
【０００７】
このように、本願の実施例におけるＡＮＲの構成方法では、端末デバイスは、隣接セル識別情報に加えて、隣接セルの属性を測定し、セル測定の過程で新たな属性を追加して、５Ｇ通信におけるより多くの種類の隣接セル及びＡＮＲの要求を満たす。
【０００８】
任意選択で、第１の態様の実現形態において、当該隣接セルの属性は、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを含む。
【０００９】
そして、本願の実施例におけるＡＮＲの構成方法において、端末デバイスは、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを測定して、ｅＬＴＥ通信やＮＲ通信におけるＡＮＲの要求を満たす。
【００１０】
任意選択で、第１の態様の実現形態において、前記隣接セルの属性が前記隣接セルのＣＮタイプを少なくとも含む場合、前記方法は、さらに、
トラッキングエリアコード（Ｔｒａｃｋｉｎｇ Ａｒｅａ Ｃｏｄｅ、ＴＡＣ）及び／又はセルグローバル識別コード（Ｃｅｌｌ Ｇｌｏｂａｌ Ｉｄｅｎｔｉｔｙ、ＣＧＩ）とＣＮタイプとの対応関係、及び隣接セルのＴＡＣ及び／又はＣＧＩに基づいて、前記隣接セルのＣＮタイプを確定することを含み、
前記基地局に測定レポートを送信することは、
前記基地局に前記測定レポートを送信することを含み、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【００１１】
そして、端末デバイスは、隣接セルのＣＮタイプを、隣接セルのＴＡＣ及び/又はＣＧＩによって暗黙的に示すことができ、これにより、隣接セルのＣＮタイプをより柔軟に報告することができる。
【００１２】
任意選択で、第１の態様の実現形態において、前記ＴＡＣ及び／又はＣＧＩとＣＮタイプとの対応関係が予め設定されたものであり、且つ異なるＣＮタイプに対応するＴＡＣ及び／又はＣＧＩフォーマットが異なる。
【００１３】
任意選択で、第１の態様の実現形態において、前記隣接セルの属性は、隣接セルがグラント帯域であるかどうか、隣接セルがスタンドアロン方式アクセスをサポートするかどうかのうちの少なくとも１つを含む。
【００１４】
任意選択で、第１の態様の実現形態において、当該測定構成情報は、第１の期間を含み、
当該基地局に測定レポートを送信することは、
当該基地局に第１の測定レポートを送信することを含み、当該第１の測定レポートは、当該隣接セルの属性のうちの当該第１の期間に測定された属性を示す。
【００１５】
任意選択で、第１の態様の実現形態において、当該方法は、さらに、
当該基地局に第１の指示情報を送信することを含み、当該第１の指示情報は、当該隣接セルの属性のうちの当該第１の期間に測定された属性を示す。
【００１６】
任意選択で、第１の態様の実現形態において、当該方法は、さらに、
当該基地局に第２の指示情報を送信することを含み、当該第２の指示情報は、当該基地局がＡＮＲリストの項目情報において、当該隣接セルの属性のうちの当該端末デバイスが当該第１の期間に測定されなかった属性に対してスペースを保留するように指示し、当該項目情報は、当該隣接セルの属性及び当該ＣＧＩを含む。
【００１７】
任意選択で、第１の態様の実現形態において、当該隣接セルは、ＬＴＥ通信をサポートするセル、ｅＬＴＥ通信をサポートするセル、ＮＲ通信をサポートするセルのうちの少なくとも１つのセルである。
【００１８】
そして、本発明の一実施例に係るＡＮＲの構成方法では、端末デバイスは、ＬＴＥ通信をサポートするセル、ｅＬＴＥ通信をサポートするセル、及びＮＲ通信をサポートするセルなどの隣接セルにおける隣接セル情報を測定することができる。
【００１９】
第２の態様、本願の実施例は、ＡＮＲの構成方法を提供し、
端末デバイスに測定構成情報を送信することと、
当該端末デバイスにより送信された、当該測定構成情報対する測定レポートを受信することとを含み
当該測定構成情報は、当該端末デバイスが隣接セルの属性と隣接セル識別子ＣＧＩを測定するように指示する。
【００２０】
そこで、本願の一実施例のＡＮＲの設定方法では、測定構成情報を基地局が端末デバイスに送信することで、端末デバイスが隣接セル識別情報を測定するとともに、隣接セルの属性を測定するように指示し、セル測定の過程で新たな属性が追加され、５Ｇ通信におけるより多くの種類の隣接セル及びＡＮＲを測定する要求を満たす。
【００２１】
任意選択で、第２の態様の実現形態において、当該隣接セルの属性は、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを含む。
【００２２】
そして、本願の実施例におけるＡＮＲの構成方法において、端末デバイスは、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを測定して、ｅＬＴＥ通信やＮＲ通信におけるＡＮＲの要求を満たす。
【００２３】
任意選択で、第２の態様の実現形態において、前記隣接セルの属性が前記隣接セルのＣＮタイプを少なくとも含む場合、
前記端末デバイスにより送信された、前記測定構成情報に対する測定レポートを受信することは、
前記端末デバイスにより送信された前記測定レポートを受信することを含み、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【００２４】
そして、基地局は、隣接セルのＴＡＣ及び／又はＣＧＩに基づいて隣接セルのＣＮタイプを確定することができる。
【００２５】
任意選択で、第２の態様の実現形態において、前記隣接セルの属性は、隣接セルがグラント帯域であるかどうか、隣接セルがスタンドアロン方式アクセスをサポートするかどうかのうちの少なくとも１つを含む。
【００２６】
そして、本願の実施例におけるＡＮＲの構成方法において、端末デバイスは、隣接セルがグラント帯域であるかどうか、隣接セルがスタンドアロン方式アクセスをサポートするかどうかのうちの少なくとも１つを測定して、ｅＬＴＥ通信やＮＲ通信におけるＡＮＲの要求を満たす。
【００２７】
任意選択で、第２の態様の実現形態において、当該測定構成情報は、第１の期間を含み、
当該端末デバイスにより送信された、当該測定構成情報に対する測定レポートを受信することは、
当該端末デバイスにより送信された第１の測定レポートを受信することを含み、当該第１の測定レポートは、当該隣接セルの属性のうちの当該端末デバイスが当該第１の期間に測定された属性を示す。
【００２８】
任意選択で、第２の態様の実現形態において、当該方法は、さらに、
当該端末デバイスにより送信された第１の指示情報を受信することを含み、当該第１の指示情報は、当該隣接セルの属性のうちの当該端末デバイスが当該第１の期間に測定されなかった属性を示す。
【００２９】
任意選択で、第２の態様の実現形態において、当該方法は、さらに、
当該端末デバイスにより送信された第２の指示情報を受信することを含み、当該第２の指示情報は、当該基地局がＡＮＲリストの項目情報において当該隣接セルの属性のうちの当該端末デバイスにより当該第１の期間に測定されなかった属性に対してスペースを保留するように指示し、当該項目情報は、当該隣接セルの属性及び当該ＣＧＩを含む。
【００３０】
任意選択で、第２の態様の実現形態において、当該方法は、さらに、
当該端末デバイスにより送信された当該測定レポートに基づいて、ＡＮＲリストを確定することを含み、当該ＡＮＲリストは、当該測定レポートに搬送された当該端末デバイスにより測定された隣接セル属性を含む。
【００３１】
任意選択で、第２の態様の実現形態において、当該測定構成情報を送信する前に、当該方法は、さらに、
コアネットワークデバイスにより送信された項目情報を受信することと、
当該項目情報に基づいて、当該項目情報を含むＡＮＲリストを生成することとを含み、  当該項目情報は、当該隣接セルの属性及び当該ＣＧＩを含む。
【００３２】
任意選択で、第２の態様の実現形態において、当該方法は、さらに、
当該項目情報に基づいて、当該測定構成情報を生成することを含む。
【００３３】
任意選択で、第２の態様の実現形態において、当該隣接セルは、ＬＴＥ通信をサポートするセル、ｅＬＴＥ通信をサポートするセル、ＮＲ通信をサポートするセルのうちの少なくとも１つのセルである。
【００３４】
そして、本発明の一実施例に係るＡＮＲ構成方法では、端末デバイスは、ＬＴＥ通信をサポートするセル、ｅＬＴＥ通信をサポートするセル、及びＮＲ通信をサポートするセルなどの隣接セルにおける隣接セル情報を測定することができる。
【００３５】
第３の態様として、本願の実施例は、ＡＮＲの構成方法を提供し、
基地局にＡＮＲリストの項目情報を送信することを含み、当該項目情報は、隣接セル識別子ＣＧＩ、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含み、当該ＡＮＲリストは、端末デバイスが当該項目情報に基づいて測定した隣接セルの属性を示す。
【００３６】
そして、本願の実施例におけるＡＮＲの構成方法において、コアネットワークデバイスが基地局にＡＮＲリストの項目情報を送信することで、基地局は、端末デバイスが隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを測定するように指示し、ｅＬＴＥ通信やＮＲ通信におけるＡＮＲの要求を満たす。
【００３７】
第４の態様として、本願の実施例は、第１の態様または第１の態様の任意の実施態様における方法を実行するモジュールまたはユニットを備える端末デバイスを提供する。
【００３８】
第５の態様として、本願の実施例は、第２の態様または第２の態様の任意の実施態様における方法を実行するモジュールまたはユニットを備えるネットワークデバイスを提供する。
【００３９】
第６の態様として、本願の実施例は、第３の態様または第３の態様の任意の実施態様における方法を実行するモジュールまたはユニットを備えるコアネットワークデバイスを提供する。
【００４０】
第７の態様は、プロセッサと、メモリと、通信インターフェースとを備える端末デバイスが提供される。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第１の態様または第１の態様の任意の可能な実装形態における方法を実行させる。
【００４１】
第８の態様、プロセッサと、メモリと、通信インターフェースとを含むネットワークデバイスを提供する。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第２の態様または第２の態様の任意の可能な実装における方法を実行させる。
【００４２】
第９の態様は、プロセッサと、メモリと、通信インターフェースとを含むコアネットワークデバイスが提供される。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第３の態様における方法を実行させる。
【００４３】
第１０の態様は、プログラムコードが記憶されたコンピュータ記憶媒体を提供し、プログラムコードは、コンピュータに、上記の第１の態様または第１の態様の可能な実装のいずれか方法の命令を実行して指示する。
【００４４】
第１１の態様は、プログラムコードが記憶されたコンピュータ記憶媒体を提供し、プログラムコードは、コンピュータに、上記の第２の態様または第２の態様の可能な実装のいずれか方法の命令を実行して指示する。
【００４５】
第１２の態様は、プログラムコードが記憶されたコンピュータ記憶媒体を提供し、プログラムコードは、コンピュータに、上記の第３の態様の方法の命令を実行して指示する。
【００４６】
第１３の態様は、命令を備えるコンピュータプログラム製品を提供し、コンピュータ上で実行されると、コンピュータに、上記の態様に記載の方法を実行させる。
【図面の簡単な説明】
【００４７】
【図１】本願の実施例に応用される無線通信システムの模式図である。
【図２】本願の実施例における基地局とコアネットワークデバイスとのＡＮＲに基づくシーケンスの模式図である。
【図３】本願の実施例におけるＡＮＲの構成方法のフローチャートである。
【図４】本願の実施例における他のＡＮＲの構成方法のフローチャートである。
【図５】本願の実施例における他のＡＮＲの構成方法のフローチャートである。
【図６】本願の実施例におけるＡＮＲの構成方法のフローチャートである。
【図７】本願の実施例における端末デバイスのブロック図である。
【図８】本願の実施例における基地局のブロック図である。
【図９】本願の実施例におけるコアネットワークデバイスのブロック図である。
【図１０】本願の実施例におけるＡＮＲ構成デバイスのブロック図である。
【図１１】本願の実施例におけるシステムチップの構成図である。
【発明を実施するための形態】
【００４８】
以下、本願の実施例における技術的解決策を、本願の実施例における添付図面と併せて、明確かつ完全に説明する。
【００４９】
本発明の実施例による技術的解決策は、例えば、ロングタームエボリューション( Ｌｏｎｇ Ｔｅｒｍ Ｅｖｏｌｕｔｉｏｎ、ＬＴＥ)システム、ＬＴＥ周波数分割複信( Ｆｒｅｑｕｅｎｃｙ Ｄｉｖｉｓｉｏｎ Ｄｕｐｌｅｘ、ＦＤＤ)システム、ＬＴＥ時分割複信( Ｔｉｍｅ Ｄｉｖｉｓｉｏｎ Ｄｕｐｌｅｘ、ＴＤＤ)又は将来の５Ｇシステム等の様々な通信システムに適用され得る。
【００５０】
図１は、本願の実施例が適用される無線通信システム１００を示す。無線通信システム１００は、基地局１１０を含み得る。基地局１１０は、端末デバイスと通信する装置であってもよい。基地局１１０は、特定の地理的エリアに通信カバレッジを提供し得、カバレッジエリア内に配置されたＵＥなどの端末デバイスと通信し得る。任意選択で、基地局１１０は、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ，ＣＲＡＮ )における無線コントローラであってもよく、またはネットワークデバイスは、中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５１】
無線通信システム１００は、基地局１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器( Ｕｓｅｒ  Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５２】
無線通信システム１００は、基地局と通信するコアネットワークデバイス１３０をさらに含み、コアネットワークデバイス１３０は、５Ｇコアネットワークデバイスであってもよく、パケットコア進化( Ｅｖｏｌｖｅｄ Ｐａｃｋｅｔ Ｃｏｒｅ、ＥＰＣ )装置であってもよい。
【００５３】
任意選択で、５Ｇシステム又はネットワークは、新たな無線( Ｎｅｗ Ｒａｄｉｏ、ＮＲ )システム又はネットワークと呼ばれることもある。
【００５４】
図１は、１つの基地局、１つのコアネットワークデバイス、及び２つの端末デバイスを例示的に示しているが、無線通信システム１００は、複数の基地局装置を含み、各基地局のカバレージ内に他の数の端末デバイスを含んでもよく、本発明の実施例はこれに限定されない。
【００５５】
任意選択で、無線通信システム１００は、ネットワークコントローラ、モビリティ管理エンティティなどの他のネットワークエンティティをさらに含むことができ、本願の実施例はこれに限定されない。
【００５６】
図２は、本願の実施例におけるコアネットワークデバイスにおける基地局とＯ＆ＭベースのＡＮＲとのシーケンスの概略図を示す。
【００５７】
基地局は、Ｏ＆Ｍと情報交換を行うことができるＡＮＲ機能エンティティを含み、このＡＮＲ機能エンティティは、無線リソース制御( Ｒａｄｉｏ Ｒｅｓｏｕｒｃｅ Ｃｏｎｔｒｏｌ、ＲＲＣ )を介して端末デバイスと情報交換を行うこともできる。
【００５８】
任意選択で、ＡＮＲ機能エンティティは、隣接セル削除を内部で実現してもよく、隣接セル測定をＲＲＣ接続を介して実現してもよく、Ｏ＆Ｍとのインタラクションを介して隣接セル関係を追加または更新してもよく、また、隣接セル関係テーブル管理を介してＡＮＲリストを維持してもよい。
【００５９】
進化ＬＴＥ (すなわち、ｅＬＴＥ )は、本願においてＬＴＥベースの拡張行い、５ＧコアネットワークのＬＴＥ基地局へのアクセスをサポートできる。
【００６０】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００６１】
図３は、本発明の実施例によるＡＮＲの構成方法２００の概略的なフローチャートである。図３に示されるように、方法２００は、図１に示されるような端末デバイスによって実行され、当該端末デバイスが図２に示されるようなＲＲＣ接続を介して基地局におけるＡＮＲ機能エンティティとインタラクションを行って、隣接セル測定値を報告し、方法２００における基地局は、図１に示されるような基地局であってもよく、方法２００は、２１０〜２３０を含む。
【００６２】
２１０において、基地局により送信された測定構成情報を受信する。
【００６３】
２２０において、当該測定構成情報に基づいて、隣接セルの属性とＣＧＩを測定する。
【００６４】
任意選択で、当該隣接セルは、ＬＴＥ通信をサポートするセル、ｅＬＴＥ通信をサポートするセル、ＮＲ通信をサポートするセルのうちの少なくとも１つのセルである
なお、当該測定構成情報は、端末デバイスが隣接セル測定を行うように指示する。
【００６５】
任意選択で、基地局は、発展型基地局( Ｅｖｏｌｖｅｄ Ｎｏｄｅ Ｂ、ｅＮＢ )であってもよく、５Ｇ通信における基地局( ｇＮＢ )であってもよい。
【００６６】
任意選択で、基地局は、当該測定構成情報において端末デバイスが隣接セルの属性と隣接セル識別子（Ｃｅｌｌ Ｇｌｏｂａｌ Ｉｄｅｎｔｉｆｉｅｒ、ＣＧＩ）を測定するように構成される。
【００６７】
任意選択で、当該隣接セルの属性は、隣接セルのコアネットワーク（Ｃｏｒｅ Ｎｅｔｗｏｒｋ、ＣＮ）タイプ、隣接セルのセルタイプ、隣接セルが特定サービスをサポートするかどうか、隣接セルに利用可能なネットワークスライスが存在するかどうか、隣接セルの特定システム情報ブロック（Ｓｙｓｔｅｍ Ｉｎｆｏｒｍａｔｉｏｎ Ｂｌｏｃｋ、ＳＩＢ）、隣接セルがＸｎインターフェースをサポートするかどうかのうちの少なくとも１つを含む。
【００６８】
例えば、ＣＮタイプは、ＥＰＣであってもよく、５Ｇコアネットワーク( ５Ｇ Ｃｏｒｅ、５ＧＣ )であってもよく、ＥＰＣと５ＧＣとを同時にサポートするものであってもよい。
【００６９】
例えば、隣接セルのセルタイプは、ＬＴＥ通信をサポートするセルであってもよく、ｅＬＴＥ通信をサポートするセルであってもよく、ＮＲ通信をサポートするセルであってもよい。
【００７０】
例えば、隣接セルによってサポートされる特定のサービスは、車間装置( Ｖｅｈｉｃｌｅ ｔｏ Ｅｖｅｒｙｔｈｉｎｇ、Ｖ２Ｘ )サービスであってもよく、装置間装置( Ｄｅｖｉｃｅ ｔｏ Ｄｅｖｉｃｅ、Ｄ２Ｄ ) サービス又は他のサービスであってもよい。
【００７１】
任意選択で、端末デバイスは、ＴＡＣ及び／又はＣＧＩとＣＮタイプとの対応関係、及び隣接セルのＴＡＣ及び／又はＣＧＩに基づいて、前記隣接セルのＣＮタイプを確定することができる。
【００７２】
なお、基地局は、ＴＡＣ及び/又はＣＧＩをブロードキャストでブロードキャストしてもよい。例えば、基地局Ａは隣接セル１に、基地局Ｂは隣接セル２にそれぞれサービスし、基地局Ａは隣接セル１のＴＡＣ及び/又はＣＧＩを端末デバイスにブロードキャストで送信し、基地局Ｂは隣接セル２のＴＡＣ及び/又はＣＧＩを端末デバイスにブロードキャストで送信することができる。これにより、端末デバイスは、隣接セルのＴＡＣ及び/又はＣＧＩを取得することができる。
【００７３】
なお、１つの基地局が少なくとも１つのＴＡＣ及びＣＧＩをブロードキャストしてもよく、異なるコアネットワークが接続されている場合には、異なるコアネットワークタイプに対して同じ又は異なるフォーマットのＴＡＣ及びＣＧＩをブロードキャストしてもよい。
【００７４】
任意選択で、前記ＴＡＣ及び／又はＣＧＩとＣＮタイプとの対応関係が予め設定されたものであり、且つ異なるＣＮタイプに対応するＴＡＣ及び／又はＣＧＩフォーマットが異なる。
【００７５】
例えば、５ＧＣ対応のＴＡＣフォーマットは３バイトであり、ＥＰＣ対応のＴＡＣフォーマットは２バイトである。
【００７６】
また、例えば、ＥＰＣ対応のＣＧＩフォーマットは、５ＧＣ対応のＣＧＩフォーマットよりも短い。
【００７７】
ＥＰＣ対応のＣＧＩフォーマットは、５ＧＣ対応のＣＧＩフォーマットよりも短く、５ＧＣ対応のＣＧＩフォーマットの方が、より多くのビット数があり得ることが理解される。
【００７８】
具体的には、例えば、ｅＬＴＥ基地局がＥＰＣに接続する場合、ＴＡＣフォーマット１のＴＡＣをブロードキャストすることができ、及び/又は、ＣＧＩフォーマット１のＣＧＩをブロードキャストすることができ、ｅＬＴＥ基地局は５ＧＣ接続時にＴＡＣフォーマット２のＴＡＣをブロードキャストし、および/またはＣＧＩフォーマット２のＣＧＩをブロードキャストすることができ、ＴＡＣフォーマット１は２バイト、ＴＡＣフォーマット２は３バイトであり、ＣＧＩフォーマット１はＣＧＩフォーマット２より短い。これにより、端末デバイスは、隣接セルのＴＡＣ及び/又はＣＧＩに応じて、隣接セルのＣＮタイプを決定することができる。
【００７９】
任意選択で、前記隣接セルの属性は、隣接セルがグラント帯域であるかどうか、隣接セルがスタンドアロン（Ｓｔａｎｄａｌｏｎｅ、ＳＡ）アクセスをサポートするか否かの少なくとも１つを含む。
【００８０】
なお、隣接セルは、グラント帯域であってもよく、非グラント帯域であってもよい。隣接セルは、スタンドアローン方式( Ｓｔａｎｄａｌｏｎｅ、ＳＡ )アクセスをサポートしてもよく、非スタンドアローン方式( ＮＳＡ )アクセスをサポートしてもよい。
【００８１】
任意選択で、前記隣接セルの属性は、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含む。
【００８２】
２３０において、当該基地局に測定レポートを送信し、当該測定レポートは、当該隣接セルの属性と当該ＣＧＩを示す。
【００８３】
任意選択で、前記隣接セルの属性が前記隣接セルのＣＮタイプを少なくとも含む場合、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【００８４】
すなわち、基地局が端末デバイスに隣接セルのＣＮタイプの測定を指示する場合、端末デバイスは、隣接セルのＣＮタイプをＴＡＣ及び/又はＣＧＩによって暗黙的に指示することができる。
【００８５】
任意選択で、基地局が測定レポートのトリガ条件を設定し、端末デバイスが測定レポートのトリガ条件を満たしたときに測定レポートを報告し、全ての測定結果が取得されることを待たずに報告してもよい。
【００８６】
例えば、基地局は、測定レポートを報告する時間を設定し、例えば、５ｍｓの測定の後に測定結果を報告することができる。
【００８７】
また、例えば、基地局は、ＣＧＩ、隣接セルのＣＮタイプ、隣接セルのセルタイプを測定した後に、測定レポートの情報を構成して報告する。
【００８８】
任意選択で、基地局が測定レポートの報告時間を構成し、この時、当該測定構成情報が第１の期間を含む。
【００８９】
任意選択で、端末デバイスが当該基地局に第１の測定レポートを送信送信し、当該第１の測定レポートは、当該隣接セルの属性のうちの当該第１の期間に測定された属性を示す。
【００９０】
任意選択で、端末デバイスが当該基地局に第１の指示情報を送信し、当該第１の指示情報は、当該隣接セルの属性のうちの当該第１の期間に測定されなかった属性を示す。任意選択で、基地局は、第１の期間に端末デバイスによって測定されなかった属性を知った後、引き続き端末デバイスによって測定された隣接セル情報を取得するために、待機し続けることができる。任意選択で、基地局は、第１の期間にわたって端末デバイスによって測定されなかった属性を知った後、待機をキャンセルし、端末デバイスのためのＡＮＲリストを直接維持することができる。
【００９１】
任意選択で、端末デバイスが当該基地局に第２の指示情報を送信し、当該第２の指示情報は、当該基地局がＡＮＲリストの項目情報において、当該隣接セルの属性のうちの当該端末デバイスが当該第１の期間内に測定されなかった属性に対してスペースを保留するように指示し、当該項目情報は、当該隣接セルの属性と当該ＣＧＩを含む。任意選択で、端末デバイスが当該第２の指示情報に基づいて、当該端末デバイスが当該第１の期間に測定されなかった属性に対してスペースを保留することで、端末デバイスが以降に情報を報告した後、情報を補足する。
【００９２】
そこで、本願の一実施例のＡＮＲ構成方法では、端末デバイスに、隣接セル識別情報の測定に加えて、隣接セルの属性を測定するように指示する測定構成情報を基地局が端末デバイスに送信することで、５Ｇ通信において、隣接セルとＡＮＲの種類をより多く測定するという要件を満たす新たな属性をセル測定の過程で追加する。
【００９３】
さらに、端末デバイスは隣接セルのＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを測定して、ｅＬＴＥ通信やＮＲ通信におけるＡＮＲの要求を満たす。
【００９４】
図４は、本願の実施例に従った、ＡＮＲを構成する方法３００の概略的なフローチャートである。図４に示すように、方法３００は、図１に示す基地局であり得る基地局によって実行され、基地局内のＡＮＲ機能エンティティは、図２に示すコアネットワークデバイス内のＯ＆Ｍインタラクションを通じて、コアネットワークデバイスからＡＮＲリストの項目情報を取得し、方法３００内の端末デバイス及びコアネットワークデバイスは、図１に示す端末デバイス及びコアネットワークデバイスであり得、方法３００は、３１０〜３２０を含む。
【００９５】
３１０において、端末デバイスに測定構成情報を送信し、当該測定構成情報は、当該端末デバイスが隣接セルの属性と隣接セル識別子を測定するように指示する。
【００９６】
任意選択で、当該隣接セルの属性は、以下のケースを満たす。
【００９７】
ケース１として、当該隣接セルの属性は、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうかのうちの少なくとも１つを含む。
【００９８】
ケース２として、前記隣接セルの属性は、隣接セルがグラント帯域であるかどうか、隣接セルがスタンドアロン方式アクセスをサポートするかどうかのうちの少なくとも１つを含む。
【００９９】
ケース３として、前記隣接セルの属性は、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含む。
【０１００】
任意選択で、隣接セルは、ＬＴＥ通信をサポートするセル、ｅＬＴＥ通信をサポートするセル、ＮＲ通信をサポートするセルのうちの少なくとも１つである。
【０１０１】
３２０において、当該端末デバイスにより送信された、当該測定構成情報に対する測定レポートを受信する。
【０１０２】
任意選択で、前記隣接セルの属性が前記隣接セルのＣＮタイプを少なくとも含む場合、  前記端末デバイスにより送信された、前記測定構成情報に対する測定レポートを受信することは、
前記端末デバイスにより送信された前記測定レポートを受信することを含み、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【０１０３】
任意選択で、当該測定構成情報は、第１の期間を含み、
ステップ３２０において、当該端末デバイスにより送信された、当該測定構成情報に対する測定レポートを受信することは、
当該端末デバイスにより送信された第１の測定レポートを受信することを含み、当該第１の測定レポートは、当該隣接セルの属性のうちの当該端末デバイスが当該第１の期間に測定された属性を示す。
【０１０４】
任意選択で、当該方法３００は、さらに、当該端末デバイスにより送信された第１の指示情報を受信することを含み、当該第１の指示情報は、当該隣接セルの属性のうちの当該端末デバイスが当該第１の期間に測定されなかった属性を示す。
【０１０５】
任意選択で、当該方法３００は、さらに、当該端末デバイスにより送信された第２の指示情報を受信することを含み、当該第２の指示情報は、当該基地局がＡＮＲリストの項目情報において、当該隣接セルの属性のうちの当該端末デバイスが当該第１の期間内に測定されなかった属性に対してスペースを保留するように指示し、当該項目情報は、当該隣接セルの属性と当該ＣＧＩを含む。
【０１０６】
任意選択で、当該方法３００は、さらに、当該端末デバイスにより送信された当該測定レポートに基づいてＡＮＲリストを確定することを含み、当該ＡＮＲリストは、当該測定レポートに搬送された、当該端末デバイスが測定した隣接セル属性を含む。
【０１０７】
任意選択で、当該測定構成情報を送信する前に、当該方法３００は、さらに、
コアネットワークデバイスにより送信された項目情報を受信することと、当該項目情報は、当該隣接セルの属性と当該ＣＧＩを含み、
当該項目情報に基づいて、当該項目情報を含むＡＮＲリストを生成することとを含む。
【０１０８】
任意選択で、コアネットワークデバイスは、要求に応じて、当該端末デバイスに対するＡＮＲリストの項目情報を構成する。
【０１０９】
任意選択で、当該方法３００は、さらに、当該項目情報に基づいて、当該測定構成情報を生成することを含む。
【０１１０】
ＡＮＲの構成方法３００におけるステップは、ＡＮＲの構成方法２００における対応するステップの説明を参照してもよく、簡潔のためにここでは繰り返し説明しないことを理解されたい。
【０１１１】
そこで、本願の一実施例のＡＮＲの構成方法では、端末デバイスに、隣接セル識別情報の測定に加えて、隣接セルの属性を測定するように指示する測定構成情報を基地局が端末デバイスに送信することで、５Ｇ通信において、隣接セルとＡＮＲの種類をより多く測定するという要件を満たす新たな属性をセル測定の過程で追加する。
【０１１２】
さらに、端末デバイスは、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを測定して、ｅＬＴＥ通信やＮＲ通信におけるＡＮＲの要求を満たす。
【０１１３】
図５は、本願の実施例に従った、ＡＮＲを構成する方法４００の概略的なフローチャートである。図５に示すように、方法４００は、図１に示すコアネットワークデバイスにより実行され、コアネットワークデバイスが図１のコアネットワークデバイスであってもよく、コアネットワークデバイスのＯ＆Ｍは、図２に示すように、基地局のＡＮＲ機能エンティティとインタラクションを行い、それによって、ＡＮＲリストの項目情報を基地局に送信し、方法４００の基地局は、図１に示すように、基地局であってもよく、方法４００は、４１０を含む。
【０１１４】
４１０において、基地局にＡＮＲリストの項目情報を送信し、当該項目情報は、ＣＧＩ、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含み、当該ＡＮＲリストは、端末デバイスが当該項目情報に基づいて測定した隣接セルの属性を示す。
【０１１５】
そして、本願の実施例におけるＡＮＲの構成方法において、コアネットワークデバイスが基地局にＡＮＲリストの項目情報を送信して、基地局は、端末デバイスが隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを測定するように指示し、ｅＬＴＥ通信やＮＲ通信におけるＡＮＲの要求を満たす。
【０１１６】
一実施例として、図６に示すように、端末デバイス(例えば、ＵＥ )、基地局(例えば、ｅＮＢ / ｇＮＢ )及びコアネットワークデバイス(例えば、５ＧＣ / ＥＰＣにおけるＯ＆Ｍ )の間で情報相互作用を通じてＡＮＲを構成することができる。
【０１１７】
５１０において、コアネットワークデバイスは、ＡＮＲリストの項目情報を構成する。
【０１１８】
任意選択で、当該項目情報は、ＣＧＩ、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含む。
【０１１９】
任意選択で、当該ＡＮＲリストは、端末デバイスが当該項目情報に基づいて測定した隣接セルの属性を示す。
【０１２０】
５２０において、基地局はＡＮＲリストの項目情報を維持する。
【０１２１】
任意選択で、基地局は、端末デバイスに対する空きＡＮＲリスト(項目情報のみを含むテーブル)を保持しており、又は、必要に応じて端末デバイスに対する空きＡＮＲリストを生成する。
【０１２２】
任意選択で、基地局は、コアネットワークデバイスにより設定されたＡＮＲリストの項目情報に応じて、ＡＮＲリスト内の項目情報を追加、変更、削除し、例えば、新たにＣＮ ｔｙｐｅ、ｓｌｉｃｅ ａｖａｉｌａｂｉｌｉｔｙ、ｓｕｐｐｏｒｔｅｄ ｓｅｒｖｉｃｅ、ｓｐｅｃｉｆｉｃ Ｓ1Ｂ、Ｘｎインタフェースなどの新たな属性情報を追加する。
【０１２３】
５３０において、基地局は測定構成情報を生成する。
【０１２４】
任意選択で、当該測定構成情報は、ＣＧＩ、隣接セルのＣＮタイプ、隣接セルのセルタイプ、隣接セルが特定のサービスをサポートするかどうか（ＹＥＳ ｏｒ ＮＯ）、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含む。
【０１２５】
任意選択で、ステップ５４０において、基地局は、測定レポートのトリガ条件を構成する。
【０１２６】
任意選択で、端末デバイスが測定レポートのトリガ条件を満たしたときに測定レポートを報告し、全ての測定結果が取得されることを待たずに報告してもよい。
【０１２７】
例えば、基地局は、測定レポートを報告する時間を設定し、例えば、１０ｍｓの測定の後に測定結果を報告することができる。
【０１２８】
なお、基地局が具体的な報告の時間を実際のニーズに応じて柔軟に設定する。
【０１２９】
任意選択で、例えば、基地局は、ＣＧＩ、隣接セルのＣＮタイプ、隣接セルのセルタイプを測定した後に、測定レポートの情報を構成して報告する。
【０１３０】
なお、基地局が具体的にどの情報を報告するかは、実際のニーズに応じて柔軟に設定する。
【０１３１】
５５０において、基地局が端末デバイスに測定構成情報を送信する。
【０１３２】
当該測定構成情報は、当該端末デバイスが隣接セルの属性と隣接セル識別子を測定するように指示する。
【０１３３】
任意選択で、当該隣接セルの属性は、以下のケースを満たす。
【０１３４】
ケース１として、当該隣接セルの属性は、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうかのうちの少なくとも１つを含む。
【０１３５】
ケース２として、前記隣接セルの属性は、隣接セルがグラント帯域であるかどうか、隣接セルがスタンドアロン方式アクセスをサポートするかどうかのうちの少なくとも１つを含む。
【０１３６】
ケース３として、前記隣接セルの属性は、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含む。
【０１３７】
５６０において、端末デバイスが基地局により構成された測定情報に基づいて、隣接セル情報を測定する。
【０１３８】
任意選択で、当該隣接セルは、ＬＴＥ通信をサポートするセル、ｅＬＴＥ通信をサポートするセル、ＮＲ通信をサポートするセルのうちの少なくとも１つである。
【０１３９】
任意選択で、端末デバイスは、ＴＡＣ及び／又はＣＧＩとＣＮタイプとの対応関係、及び隣接セルのＴＡＣ及び／又はＣＧＩに基づいて、前記隣接セルのＣＮタイプを確定することができる。
【０１４０】
なお、１つの基地局が少なくとも１つのＴＡＣ及びＣＧＩをブロードキャストしてもよく、異なるコアネットワークが接続されている場合には、異なるコアネットワークタイプに対して同じ又は異なるフォーマットのＴＡＣ及びＣＧＩをブロードキャストしてもよい。
【０１４１】
５７０において、端末デバイスは測定レポートを報告する。
【０１４２】
任意選択で、ステップ５４０がない場合、端末デバイスは、基地局構成された測定すべき情報を全て測定し終えた時点で測定レポートに測定結果を報告する。
【０１４３】
任意選択で、ステップ５４０がある場合、端末デバイスは、トリガ条件が満たされたとき、すなわち測定レポートに測定結果を報告する。
【０１４４】
任意選択で、前記隣接セルの属性が前記隣接セルのＣＮタイプを少なくとも含む場合、  前記端末デバイスにより送信された、前記測定構成情報に対する測定レポートを受信することは、
前記端末デバイスにより送信された前記測定レポートを受信することを含み、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【０１４５】
任意選択で、前記基地局は、前記端末デバイスに前記第１の時間内の測定結果を報告する際に、前記基地局が測定を必要とする隣接セル情報のうち前記第１の時間内に未測定の隣接セル情報を示す第１の表示情報を前記基地局に送信する。
【０１４６】
任意選択で、基地局が、第１の期間内の測定結果を報告するように端末デバイスを構成する場合、端末デバイスは、基地局がＡＮＲリストの項目情報のうちの第１の期間内に測定されなかった隣接セルの情報を空き状態とすることを示す第２の表示情報を基地局に送信する。
【０１４７】
５８０において、基地局はＡＮＲリストを維持する。
【０１４８】
任意選択で、基地局は、端末デバイスに対する空きＡＮＲリストに、端末デバイスから報告された測定レポートに含まれる情報を追加する。
【０１４９】
例えば、表１に示す。
【０１５０】
【表１】
2020533816.tif 000001
任意選択で、上記の表１には他の項目を含んでもよく、例えば、隣接セルがグラント帯域であるかどうか、隣接セルがスタンドアロン方式アクセスをサポートするかどうか等を含む。
【０１５１】
上記の表１の内容は、本願の実施例のいくつかによって新たに追加されたＡＮＲテーブルの拡張属性であり、実際には、ＬＴＥにおいて測定される必要があるいくつかの属性、例えば、端末制御インターフェース( Ｔｅｒｍｉｎａｌ Ｃｏｎｔｒｏｌ Ｉｎｔｅｒｆａｃｅ、ＴＣＩ )もＡＮＲリスト属性に含まれることを理解されたい。
【０１５２】
そして、本願の実施例におけるＡＮＲの構成方法において、コアネットワークがデバイス基地局にＡＮＲリストの項目情報を送信して、基地局は、端末デバイスが隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを測定するように指示し、ｅＬＴＥ通信やＮＲ通信におけるＡＮＲの要求を満たす。
【０１５３】
図７は本願の実施例における端末デバイス６００のブロック図である。図７に示すように、当該端末デバイス６００は、受信ユニット６１０、処理ユニット６２０、送信ユニット６３０を含む
受信ユニット６１０は、基地局により送信された測定構成情報を受信するように構成される。
【０１５４】
処理ユニット６２０は、当該測定構成情報に基づいて、隣接セルの属性と隣接セル識別子ＣＧＩを測定するように構成される。
【０１５５】
送信ユニット６３０は、当該基地局に測定レポートを送信するように構成され、当該測定レポートは、当該隣接セルの属性と当該ＣＧＩを示す。
【０１５６】
任意選択で、当該隣接セルの属性は、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを含む。
【０１５７】
任意選択で、前記隣接セルの属性が前記隣接セルのＣＮタイプを少なくとも含む場合、前記処理ユニットは、さらに、
ＴＡＣ及び／又はＣＧＩとＣＮタイプとの対応関係、及び隣接セルのＴＡＣ及び／又はＣＧＩに基づいて、前記隣接セルのＣＮタイプを確定するように構成される。
【０１５８】
前記送信ユニット６３０は、さらに、
前記基地局に前記測定レポートを送信するように構成され、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【０１５９】
任意選択で、前記ＴＡＣ及び／又はＣＧＩとＣＮタイプとの対応関係が予め設定されたものであり、且つ異なるＣＮタイプに対応するＴＡＣ及び／又はＣＧＩフォーマットが異なる。
【０１６０】
任意選択で、前記隣接セルの属性は、隣接セルがグラント帯域であるかどうか、隣接セルがスタンドアロン方式アクセスをサポートするかどうかのうちの少なくとも１つを含む。
【０１６１】
任意選択で、当該測定構成情報は第１の期間を含み、
当該送信ユニット６３０は、さらに、当該基地局に第１の測定レポートを送信するように構成され、当該第１の測定レポートは、当該隣接セルの属性のうちの当該第１の期間に測定された属性を示す。
【０１６２】
任意選択で、当該送信ユニット６３０は、さらに、当該基地局に第１の指示情報を送信するように構成され、当該第１の指示情報は、当該隣接セルの属性のうちの当該第１の期間に測定されなかった属性を示す。
【０１６３】
任意選択で、当該送信ユニット６３０は、さらに、当該基地局に第２の指示情報を送信するように構成され、当該第２の指示情報は、当該基地局がＡＮＲリストの項目情報において、当該隣接セルの属性のうちの当該端末デバイスが当該第１の期間内に測定されなかった属性に対してスペースを保留するように指示し、当該項目情報は、当該隣接セルの属性と当該ＣＧＩを含む。
【０１６４】
任意選択で、当該隣接セルは、ＬＴＥ通信をサポートするセル、ｅＬＴＥ通信をサポートするセル、ＮＲ通信をサポートするセルのうちの少なくとも１つのセルである。
【０１６５】
本発明の実施例による端末デバイス６００は、本願の方法２００における端末デバイスに対応することができ、端末デバイス６００における上記及び他の動作及び/又は機能は、それぞれ、図３に示す方法２００における端末デバイスの対応するフローを実施するために、簡潔のために、ここでは繰り返し説明しない。
【０１６６】
図８は本願の実施例における基地局７００のブロック図である。図８に示すように、当該基地局７００は、送信ユニット７１０及び受信ユニット７２０を含む。
【０１６７】
送信ユニット７１０は、端末デバイスに測定構成情報を送信するように構成され、当該測定構成情報は、当該端末デバイスが隣接セルの属性を隣接セル識別子ＣＧＩを測定するように指示する。
【０１６８】
受信ユニット７２０は、当該端末デバイスにより送信された、当該測定構成情報に対する測定レポートを受信するように構成される。
【０１６９】
任意選択で、当該隣接セルの属性は、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうかのうちの少なくとも１つを含む。
【０１７０】
任意選択で、前記隣接セルの属性が前記隣接セルのＣＮタイプを少なくとも含む場合、  前記受信ユニット７２０は、
前記端末デバイスにより送信された前記測定レポートを受信するように構成され、前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す。
【０１７１】
任意選択で、前記隣接セルの属性は、隣接セルがグラント帯域であるかどうか、隣接セルがスタンドアロン方式アクセスをサポートするかどうかのうちの少なくとも１つを含む。
【０１７２】
任意選択で、当該測定構成情報は第１の期間を含み、
当該受信ユニット７２０は、さらに、当該端末デバイスにより送信された第１の測定レポートを受信するように構成され、当該第１の測定レポートは、当該隣接セルの属性のうちの当該端末デバイスが当該第１の期間に測定された属性を示す。
【０１７３】
任意選択で、当該受信ユニット７２０は、当該端末デバイスにより送信された第１の指示情報を受信するように構成され、当該第１の指示情報は、当該隣接セルの属性のうちの当該端末デバイスが当該第１の期間に測定されなかった属性を示す。
【０１７４】
任意選択で、当該受信ユニット７２０は、さらに、当該端末デバイスにより送信された第２の指示情報を受信するように構成され、当該第２の指示情報は、当該基地局がＡＮＲリストの項目情報において、当該隣接セルの属性のうちの当該端末デバイスが当該第１の期間内に測定されなかった属性に対してスペースを保留するように指示し、当該項目情報は、当該隣接セルの属性と当該ＣＧＩを含む。
【０１７５】
任意選択で、当該基地局は、さらに、処理ユニット７３０を含み、
処理ユニット７３０は、当該端末デバイスにより送信された当該測定レポートに基づいてＡＮＲリストを確定するように構成され、当該ＡＮＲリストは、当該測定レポートに搬送された、当該端末デバイスが測定した隣接セル属性を含む。
【０１７６】
任意選択で、当該送信ユニット７１０が当該測定構成情報を送信する前に、当該基地局は、さらに、処理ユニット７３０を含み、
当該受信ユニット７２０は、さらに、コアネットワークデバイスにより送信された項目情報を受信するように構成され、当該項目情報は、当該隣接セルの属性と当該ＣＧＩを含む。
【０１７７】
処理ユニット７３０は、当該項目情報に基づいて、当該項目情報を含むＡＮＲリストを生成するように構成される。
【０１７８】
任意選択で、当該処理ユニット７３０は、さらに、当該項目情報に基づいて当該測定構成情報を生成するように構成される。
【０１７９】
任意選択で、当該隣接セルＬＴＥ通信をサポートするセル、ｅＬＴＥ通信をサポートするセル、ＮＲ通信をサポートするセルのうちの少なくとも１つのセルである。
【０１８０】
本発明の実施例による基地局７００は、本発明の方法３００における基地局に対応してもよく、基地局６００における様々なユニットの上記及び他の動作及び/又は機能は、それぞれ、図４に示す方法３００における基地局の対応するフローを実施するために、簡潔のために、ここでは繰り返し説明しないことを理解されたい。
【０１８１】
図９は本願の実施例におけるコアネットワークデバイス８００のブロック図である。図９に示すように、当該コアネットワークデバイス８００は送信ユニット８１０を含み、
送信ユニット８１０は、基地局にＡＮＲリストの項目情報を送信するように構成され、当該項目情報は、隣接セル識別子ＣＧＩ、隣接セルのＣＮタイプ、隣接セルのセルタイプ、隣接セルが特定サービスをサポートするかどうか、隣接セルに利用可能なネットワークスライスが存在するかどうか、隣接セルの特定のＳＩＢ、隣接セルがＸｎインターフェースをサポートするかどうか、隣接セルがグラント帯域であるかどうか、隣接セルがスタンドアロン方式アクセスをサポートするかどうかのうちの少なくとも１つを含み、当該ＡＮＲリストは、端末デバイスが当該項目情報に基づいて測定した隣接セルの属性を示す。
【０１８２】
本発明の実施例によるコアネットワークデバイス８００は、本発明の方法４００におけるコアネットワークデバイスに対応することができ、コアネットワークデバイス８００における上記の及び他の動作及び/又は機能は、図５に示す方法４００におけるコアネットワークデバイスの対応するフローをそれぞれ実現するために、簡潔のためにここでは説明を省略する。
【０１８３】
図１０は本願の実施例におけるＡＮＲ構成デバイス９００のブロック図である。当該デバイス９００は、
コードを含むプログラムを記憶するためのメモリ９１０と、
他の装置と通信するための送受信機９２０と、
メモリ９１０内のプログラムコードを実行するプロセッサ９３０とを含む。
【０１８４】
任意選択で、コードが実行されると、プロセッサ９３０は、図３の方法２００において端末デバイスによって実行される様々な動作を実施してもよく、簡潔のためにここでは詳しい説明を省略する。このとき、装置９００は、端末デバイス(例えば、携帯電話)であってもよい。トランシーバ９２０は、プロセッサ９３０の駆動の下で特定の信号の送受信を実行するために使用される。
【０１８５】
任意選択で、コードが実行されると、プロセッサ９３０は、図４の方法３００において基地局によって実行される様々な動作を実装することもでき、簡潔にするために、ここでは詳しい説明を省略する。このとき、装置９００は、基地局(例えば、アクセスネットワークデバイス)であり得る。
【０１８６】
任意選択で、コードが実行されると、プロセッサ９３０は、図５の方法４００においてコアネットワークデバイスによって実行される様々な動作を実装することもでき、簡潔のためにここでは詳しい説明を省略する。このとき、装置９００は、コアネットワークデバイス(例えば、５ＧＣ、ＥＰＣ )であってもよい。
【０１８７】
プロセッサ９３０は、本願の実施例において、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１８８】
メモリ９１０は、読み出し専用メモリおよびランダムアクセスメモリを含み得、プロセッサ９３０に命令およびデータを提供し得る。メモリ９１０の一部は、不揮発性ランダムアクセスメモリをさらに含み得る。例えば、メモリ９１０は、デバイスタイプの情報をさらに記憶してもよい。
【０１８９】
トランシーバ９２０は、周波数変調および復調機能、または、アップコンバートおよびダウンコンバート機能などの信号送信および受信機能を実装するために使用され得る。
【０１９０】
実装プロセスにおいて、方法の少なくとも１つのステップは、プロセッサ９３０内のハードウェアの集積論理回路によって達成されてもよく、または、集積論理回路は、ソフトウェアの形態の命令駆動下で少なくとも１つのステップを実施してもよい。したがって、ＡＮＲを構成する装置９００は、チップまたはチップセットであり得る。本願の実施例に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに存在し、プロセッサ９３０は、メモリ内の情報を読み出し、ハードウェアとともに上述した方法のステップを実行する。重複を避けるため、ここでは詳細な説明は省略する。
【０１９１】
図１１は、本発明の実施例に係るシステムチップ１０００の概略構成図である。図１１のシステムチップ１０００は、入力インターフェース１００１、出力インターフェース１００２、メモリ１００４内のコードを実行するプロセッサ１００３、及びメモリ１００４を、内部通信接続線を介して接続することができる。
【０１９２】
あるいは、コードが実行されると、プロセッサ１００３は、方法の実施例において端末デバイスによって実行される方法を実施する。簡潔にするために、ここでは繰り返し説明しない。
【０１９３】
任意選択で、コードが実行されると、プロセッサ１００３は、方法の実施例においてネットワークデバイスによって実行される方法を実施する。簡潔にするために、ここでは繰り返し説明しない。
【０１９４】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１９５】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１９６】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１９７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１９８】
また、本発明の各実施例における各機能部は、１つの処理部に集積されてもよく、各部は、物理的に別個に存在してもよく、２つ以上の部が１つの部に集積されてもよい。
【０１９９】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、リードオンリーメモリ( ＲＯＭ，Ｒｅａｄ−Ｏｎｌｙ Ｍｅｍｏｒｙ )、ランダムアクセスメモリ( ＲＡＭ，Ｒａｎｄｏｍ Ａｃｃｅｓｓ Ｍｅｍｏｒｙ )、磁気ディスク、光ディスク等のプログラムコードを記憶できる種々の媒体を包含する。
【０２００】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【手続補正２】
【補正対象書類名】特許請求の範囲
【補正対象項目名】全文
【補正方法】変更
【補正の内容】
【特許請求の範囲】
【請求項１】
基地局により送信された測定構成情報を受信することと、
前記測定構成情報に基づいて、隣接セルの属性と隣接セル識別子ＣＧＩを測定することと、
前記基地局に測定レポートを送信することとを含み、前記測定レポートは、前記隣接セルの属性と前記ＣＧＩを示す
ことを特徴とする自動隣接関係ＡＮＲの構成方法。
【請求項２】
前記隣接セルの属性は、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを含む
ことを特徴とする請求項１に記載の自動隣接関係ＡＮＲの構成方法。
【請求項３】
隣接セルがサポートする特定サービスは、
Ｖ２Ｘサービス、Ｄ２Ｄサービスのうちの少なくとも１つを含み、
前記ＣＮタイプは、
ＥＰＣと５ＧＣのうちの少なくとも１つを含む
ことを特徴とする請求項２に記載の自動隣接関係ＡＮＲの構成方法。
【請求項４】
前記隣接セルの属性が前記隣接セルのＣＮタイプを少なくとも含む場合、前記方法は、さらに、
トラッキングエリアコードＴＡＣ及び／又はセルグローバル識別コードＣＧＩとＣＮタイプとの対応関係、及び隣接セルのＴＡＣ及び／又はＣＧＩに基づいて、前記隣接セルのＣＮタイプを確定することを含み、
前記基地局に測定レポートを送信することは、
前記基地局に前記測定レポートを送信することを含み、
前記測定レポートは、前記隣接セルのＴＡＣ及び／又はＣＧＩを少なくとも含み、且つ前記隣接セルのＣＮタイプが含まなく、前記隣接セルのＴＡＣ及び/又はＣＧＩは、前記隣接セルのＣＮタイプを暗黙的に示す
ことを特徴とする請求項２に記載の自動隣接関係ＡＮＲの構成方法。
【請求項５】
前記ＴＡＣ及び／又はＣＧＩとＣＮタイプとの対応関係が予め設定されたものであり、且つ異なるＣＮタイプに対応するＴＡＣ及び／又はＣＧＩフォーマットが異なる
ことを特徴とする請求項４に記載の自動隣接関係ＡＮＲの構成方法。
【請求項６】
５ＧＣに対応するＴＡＣフォーマットのビット数は、ＥＰＣに対応するＴＡＣフォーマットのビット数よりも多く、
又は、
５ＧＣに対応するＣＧＩフォーマットのビット数は、ＥＰＣに対応するＣＧＩフォーマットのビット数よりも多い
ことを特徴とする請求項５に記載の自動隣接関係ＡＮＲの構成方法。
【請求項７】
前記隣接セルの属性は、隣接セルがグラント帯域であるかどうか、隣接セルがスタンドアロン方式アクセスをサポートするかどうかのうちの少なくとも１つを含む
ことを特徴とする請求項１〜４のいずれか１項に記載の自動隣接関係ＡＮＲの構成方法。
【請求項８】
前記測定構成情報が第１の期間を含み、
前記基地局に測定レポートを送信することは、
前記基地局に第１の測定レポートを送信することを含み、
前記第１の測定レポートは、前記隣接セルの属性のうちの前記第１の期間に測定された属性を示す
ことを特徴とする請求項１〜５のいずれか１項に記載の自動隣接関係ＡＮＲの構成方法。
【請求項９】
前記方法は、さらに、
前記基地局に第１の指示情報を送信することを含み、
前記第１の指示情報は、前記隣接セルの属性のうちの前記第１の期間に検定されなかった属性を示す
ことを特徴とする請求項８に記載の自動隣接関係ＡＮＲの構成方法。
【請求項１０】
前記基地局は、Ｎｏｄｅ  Ｂ又は５Ｇ通信の基地局である
ことを特徴とする請求項１〜９のいずれか1項に記載の自動隣接関係ＡＮＲの構成方法。
【請求項１１】
基地局により送信された測定構成情報を受信するように構成される受信ユニットと、
前記測定構成情報に基づいて、隣接セルの属性と隣接セル識別子ＣＧＩを測定するように構成される処理ユニットと、
前記基地局に測定レポートを送信するように構成される送信ユニットとを含み、
前記測定レポートは、前記隣接セルの属性と前記ＣＧＩを示す
ことを特徴とする端末デバイス。
【請求項１２】
前記隣接セルの属性は、隣接セルのコアネットワークＣＮタイプ、隣接セルのセルタイプ、隣接セルが特定サービスをサポートするかどうか、隣接セルに利用可能なネットワークスライスが存在するかどうか、隣接セルの特定システム情報ブロックＳＩＢ、隣接セルがＸｎインターフェースをサポートするかどうかのうちの少なくとも１つを含む
ことを特徴とする請求項１１に記載の端末デバイス。
【請求項１３】
隣接セルがサポートする特定サービスは、
Ｖ２Ｘサービス、Ｄ２Ｄサービスのうちの少なくとも１つを含み、
前記ＣＮタイプは、
ＥＰＣと５ＧＣのうちの少なくとも１つを含む
ことを特徴とする請求項１２に記載の端末デバイス。
【請求項１４】
前記隣接セルの属性は、隣接セルがグラント帯域であるかどうか、隣接セルがスタンドアロン方式アクセスをサポートするかどうかのうちの少なくとも１つを含む
ことを特徴とする請求項１１〜１３のいずれか１項に記載の端末デバイス。
【請求項１５】
前記測定構成情報が第１の期間を含み、
前記送信ユニットは、さらに、前記基地局に第１の測定レポートを送信するように構成され、前記第１の測定レポートは、前記隣接セルの属性のうちの前記第１の期間に測定された属性を示す
ことを特徴とする請求項１１〜１４のいずれか１項に記載の端末デバイス。